(57)【要約】【課題】適切に音声を用いたデータ処理を実行することが可能な情報配信システム等を提供すること。【解決手段】携帯電話１００が、データを音声信号に変換する変換部１６０と、前記音声信号を出力する出力部１７０と、前記音声信号を入力する入力部１１０と、認証用データを入力する認証用データ入力部１３０と、前記認証用データに基づき、認証を行う認証部１４０と、前記認証が成功した場合に前記音声信号を前記データに復調し、前記認証が失敗した場合に前記データの復調を行わない復調部１２０とを含んで構成される。【選択図】図２
2008148123.tif 000002
【特許請求の範囲】
【請求項１】
情報送信装置と、少なくとも１台の情報受信装置とを含む情報配信システムにおいて、
前記情報送信装置は、
データを音声信号に変換する変換部と、
前記音声信号を出力する出力部と、
を含み、
前記情報受信装置は、
前記音声信号を入力する入力部と、
認証用データを入力する認証用データ入力部と、
前記認証用データに基づき、認証を行う認証部と、
前記認証が成功した場合に前記音声信号を前記データに復調し、前記認証が失敗した場合に前記データの復調を行わない復調部と、
を含むことを特徴とする情報配信システム。
【請求項２】
請求項１に記載の情報配信システムにおいて、
前記変換部は、前記データを１０００〜２０００Ｈｚの周波数に変調することによって前記音声信号を生成し、
前記入力部は、１０００〜２０００Ｈｚの周波数帯域における前記音声信号を入力することを特徴とする情報配信システム。
【請求項３】
情報送信装置と、少なくとも１台の情報受信装置とを含む情報配信システムにおいて、
前記情報送信装置は、
データを１０００〜２０００Ｈｚの周波数に変調することによって音声信号を生成する変換部と、
前記音声信号を出力する出力部と、
を含み、
前記情報受信装置は、
１０００〜２０００Ｈｚの周波数帯域における前記音声信号を入力する入力部と、
前記音声信号を前記データに復調する復調部と、
を含むことを特徴とする情報配信システム。
【請求項４】
請求項１〜３のいずれかに記載の情報配信システムにおいて、
前記情報送信装置および前記情報受信装置は、携帯電話であって、
前記データは、前記情報送信装置として機能する前記携帯電話の所有者に関するデータであることを特徴とする情報配信システム。
【請求項５】
変換部と、出力部とを有する情報送信装置と、入力部と、認証用データ入力部と、認証部と、復調部とを有する少なくとも１台の情報受信装置とを用いた情報配信方法において、
前記認証用データ入力部は、認証用データを入力し、
前記認証部は、前記認証用データに基づき、認証を行い、
前記変換部は、データを音声信号に変換し、
前記出力部は、前記音声信号を出力し、
前記入力部は、前記音声信号を入力し、
前記復調部は、前記認証が成功した場合に前記音声信号を前記データに復調し、前記認証が失敗した場合に前記データの復調を行わないことを特徴とする情報配信方法。
【請求項６】
変換部と、出力部とを有する情報送信装置と、入力部と、復調部とを有する少なくとも１台の情報受信装置とを用いた情報配信方法において、
前記変換部は、データを音声信号に変換し、
前記変換部は、前記データを１０００〜２０００Ｈｚの周波数に変調することによって音声信号を生成し、
前記出力部は、前記音声信号を出力し、
前記入力部は、１０００〜２０００Ｈｚの周波数帯域における前記音声信号を入力し、
前記復調部は、前記音声信号を前記データに復調することを特徴とする情報配信方法。
【発明の詳細な説明】
【技術分野】
【０００１】
本発明は、データを音声信号で配信する情報配信システムおよび情報配信方法に関する。
【背景技術】
【０００２】
例えば、複数の携帯電話がメールアドレス等のデータを交換する場合、赤外線によるデータ通信を行うことが一般的である。しかし、赤外線によるデータ通信の場合、一対一の通信に限られるため、一度に複数の携帯電話にデータを送信できない、指向性があるため、携帯電話同士の位置関係を考慮しなければならないといった問題がある。
【０００３】
また、近年、指向性のないブルートゥース（Bluetooth：登録商標）によるデータ通信も行われるようになってきている。しかし、この手法の場合、ブルートゥースによる通信機能を備えていない装置では使用できない上、通信制御等の点で複雑な処理が必要になる。
【０００４】
このような問題を解決する手法として、データを音声信号に変換して送信する手法が考えられる。例えば、特開２００４−３３６４５０号公報では、音声で入力された検索コードをデータに変換する手段と、検索コードを用いてデータベースを検索する手段と、検索コードに該当するデータがデータベースにあった時に当該データを音声で送信元に送信する手段とを備えた携帯電話が記載されている。
【特許文献１】特開２００４−３３６４５０号公報
【発明の開示】
【発明が解決しようとする課題】
【０００５】
しかし、例えば、街頭や会議室等の種々の音声が存在する環境では、特開２００４−３３６４５０号公報の手法をそのまま使用した場合、通信対象以外の音声も処理してしまうことになり、適切な処理を実行することができない。また、悪意のある者による傍受によってデータが不正利用されることを防止することも必要である。
【０００６】
本発明の目的は、適切に音声を用いたデータ処理を実行することが可能な情報配信システムおよび情報配信方法を提供することにある。
【課題を解決するための手段】
【０００７】
上記課題を解決するため、本発明に係る情報配信システムは、情報送信装置と、少なくとも１台の情報受信装置とを含む情報配信システムにおいて、前記情報送信装置は、データを音声信号に変換する変換部と、前記音声信号を出力する出力部と、を含み、前記情報受信装置は、前記音声信号を入力する入力部と、認証用データを入力する認証用データ入力部と、前記認証用データに基づき、認証を行う認証部と、前記認証が成功した場合に前記音声信号を前記データに復調し、前記認証が失敗した場合に前記データの復調を行わない復調部と、を含むことを特徴とする。
【０００８】
また、本発明に係る情報配信方法は、変換部と、出力部とを有する情報送信装置と、入力部と、認証用データ入力部と、認証部と、復調部とを有する少なくとも１台の情報受信装置とを用いた情報配信方法において、前記変換部は、データを音声信号に変換し、前記出力部は、前記音声信号を出力し、前記認証用データ入力部は、認証用データを入力し、前記認証部は、前記認証用データに基づき、認証を行い、前記入力部は、前記音声信号を入力し、前記復調部は、前記認証が成功した場合に前記音声信号を前記データに復調し、前記認証が失敗した場合に前記データの復調を行わないことを特徴とする。
【０００９】
本発明によれば、情報配信システム等は、認証用データを復調用の鍵として用いることができ、データの不正利用を防止することができ、適切に音声を用いたデータ処理を実行することができる。
【００１０】
また、前記変換部は、前記データを１０００〜２０００Ｈｚの周波数に変調することによって前記音声信号を生成し、前記入力部は、１０００〜２０００Ｈｚの周波数帯域における前記音声信号を入力してもよい。
【００１１】
また、本発明に係る情報配信システムは、情報送信装置と、少なくとも１台の情報受信装置とを含む情報配信システムにおいて、前記情報送信装置は、データを１０００〜２０００Ｈｚの周波数に変調することによって音声信号を生成する変換部と、前記音声信号を出力する出力部と、を含み、前記情報受信装置は、１０００〜２０００Ｈｚの周波数帯域における前記音声信号を入力する入力部と、前記音声信号を前記データに復調する復調部と、を含むことを特徴とする。
【００１２】
また、本発明に係る情報配信方法は、変換部と、出力部とを有する情報送信装置と、入力部と、復調部とを有する少なくとも１台の情報受信装置とを用いた情報配信方法において、前記変換部は、データを１０００〜２０００Ｈｚの周波数帯域に変調することによって音声信号を生成し、前記出力部は、前記音声信号を出力し、前記入力部は、１０００〜２０００Ｈｚの周波数帯域における前記音声信号を入力し、前記復調部は、前記音声信号を前記データに復調することを特徴とする。
【００１３】
本発明によれば、情報配信システム等は、一般的な音声が含まれない１０００〜２０００Ｈｚの周波数帯域を用いて音声信号を送受信することにより、通信対象以外の音声が存在する環境であっても、適切に音声を用いたデータ処理を実行することができる。
【００１４】
また、前記情報送信装置および前記情報受信装置は、携帯電話であって、前記データは、前記情報送信装置として機能する前記携帯電話の所有者に関するデータであってもよい。
【００１５】
これによれば、情報配信システム等は、携帯電話同士でメールアドレス等を容易に交換することができる。
【発明を実施するための最良の形態】
【００１６】
以下、本発明を、複数の携帯電話を用いた情報配信システムに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
図１は、本実施例における情報配信システムの全体図である。図１に示すように、複数のユーザーが数メートルの範囲内でそれぞれ携帯電話１００−１〜１００−ｎを使用しているものとする。また、このような状況において、携帯電話１００−１から携帯電話１００−２にユーザーデータを音声信号で送信するものとする。
【００１８】
このような状況では、送信対象の音声信号以外にも種々の音声（ノイズ）が存在する。また、送信対象以外の携帯電話１００によってデータが不正利用されることを防止することも必要になる。本実施例では、音声信号の周波数帯域を限定することによってノイズの影響を抑制し、認証を行うことによってデータの不正利用を防止している。次に、このような機能を有する携帯電話１００の機能ブロックについて説明する。
【００１９】
図２は、本実施例における携帯電話１００の機能ブロック図である。携帯電話１００は、情報受信装置として機能するため、音声信号を入力する入力部１１０と、記憶部１５０と、音声信号をデータに復調し、ユーザーデータ１５２として記憶部１５０に記憶する復調部１２０と、認証用データを入力する認証用データ入力部１３０と、認証用データに基づき、認証を行う認証部１４０とを含んで構成されている。
【００２０】
なお、ユーザーデータ１５２は、携帯電話１００の所有者に関するデータであって、例えば、ユーザーの氏名、住所、電話番号、メールアドレス、アドレス帳データが該当する。
【００２１】
また、携帯電話１００は、情報送信装置として機能するため、ユーザーデータ１５２の全部または一部を音声信号に変換する変換部１６０と、音声信号を出力する出力部１７０とを含んで構成されている。
【００２２】
なお、これらの各部の機能を携帯電話１００に実装するためのハードウェアとしては以下のものが採用されてもよい。例えば、入力部１１０としてはマイク等、復調部１２０、変換部１６０としてはモデム等、出力部１７０としてはスピーカー等、認証用データ入力部１３０としてはＣＣＤカメラ等、認証部１４０としてはＣＰＵ等、記憶部１５０としてはＲＡＭ等が採用されてもよい。また、携帯電話１００は、ボタン、液晶パネル、画像処理回路等の一般的な携帯電話が有するハードウェアも有するものとする。
【００２３】
次に、これらの各部を用いた処理の流れについて説明する。図３は、本実施例における送信側の携帯電話１００−１における処理手順を示すフローチャートである。また、図４は、本実施例における受信側の携帯電話１００−２における処理手順を示すフローチャートである。なお、ここでは、携帯電話１００−１が携帯電話１００−２にユーザーデータ１５２を送信する場合を例に採り説明する。
【００２４】
まず、データの送受信に先立って受信側の携帯電話１００−２のユーザーは、認証用データ入力部１３０を用いてカタログ等に印刷された２次元バーコードを撮像する。これにより、認証用データ入力部１３０は、当該２次元バーコードを認証用データ（鍵）として入力する（ステップＳ１１）。
【００２５】
認証部１４０は、認証用データが入力された場合、当該認証用データに基づき、認証を行う（ステップＳ１２）。そして、認証部１４０は、認証が成功するかどうかを判定し（ステップＳ１３）、認証が成功した場合、復調部１２０の復調フラグを１に設定し（ステップＳ１４）、認証が失敗した場合、復調部１２０の復調フラグを０に設定する（ステップＳ１５）。
【００２６】
以上の処理により、携帯電話１００は、通信時におけるセキュリティを確保することができる。
【００２７】
次に、送信側の携帯電話１００−１の変換部１６０は、ユーザーデータ１５２を処理単位（例えば、バイト単位等）ごとに音声信号に変換（変調）する（ステップＳ１）。出力部１７０は、当該音声信号を逐次出力する（ステップＳ２）。
【００２８】
なお、変換部１６０が音声信号を生成（変調）する際の周波数は、例えば、３０〜１６０００Ｈｚであることが好ましく、特に、１０００〜２０００Ｈｚであることが好ましい。一般に入力可能な周波数帯域は、２０〜２００００Ｈｚとされているが、いわゆるノーマルポジションのカセットテープにも記録可能にすることを考慮すれば、３０〜１６０００Ｈｚであることが好ましい。
【００２９】
また、人間が発声可能な周波数帯域は８０〜１０００Ｈｚ程度である。また、人間の耳の特性として２０００〜４０００Ｈｚの音が敏感に捉えられる。以上の理由から出力部１７０が音声信号を出力する際の周波数は、１０００〜２０００Ｈｚであることが好ましい。なお、変換部１６０が周波数偏移変調、すなわち、ＦＳＫ（Frequency-Shift Keying）によって音声信号を生成する場合等は、１０００Ｈｚと２０００Ｈｚを切り替えながら生成してもよい。
【００３０】
携帯電話１００−１は、以上の処理（ステップＳ１、Ｓ２）を出力が完了するまで（ステップＳ３）、繰り返し実行する。なお、出力部１７０は、音声信号の出力開始時にデータ出力開始信号を出力し、音声信号の出力完了時にデータ出力完了信号を出力してもよい。
【００３１】
一方、受信側の携帯電話１００−２は、ユーザーの操作等によって音声信号の入力待ち状態になる。そして、携帯電話１００−２の入力部１１０は、音声信号を入力し、復調部１２０は、音声信号が入力されたかどうかを判定し（ステップＳ１６）、音声信号が入力された場合、復調フラグが１になっているかどうかを判定する（ステップＳ１７）。
【００３２】
復調部１２０は、復調フラグが１になっている場合、すなわち、認証が成功している場合、音声信号からデータを復調し、ユーザーデータ１５２として記憶部１５０に記憶する（ステップＳ１８）。なお、復調部１２０は、復調フラグが１になっていない場合、すなわち、認証が失敗している場合、データの復調は行わない。
【００３３】
携帯電話１００−２は、以上の処理（ステップＳ１６〜Ｓ１８）を音声信号の入力が完了するまで（ステップＳ１９）、繰り返し実行する。なお、音声信号の入力完了の判定には上述したデータ出力完了信号が用いられてもよい。
【００３４】
以上のように、本実施例によれば、情報配信システムは、認証に成功した場合のみ復調することにより、データの不正利用を防止することができる上、他の音声を誤って復調することを防止することができ、通信対象以外の音声が存在する環境であっても、適切に音声を用いたデータ処理を実行することができる。
【００３５】
また、本実施例によれば、情報配信システムは、一般的な音声が含まれない１０００〜２０００Ｈｚの周波数帯域を用いて音声信号を送受信することにより、通信対象以外の音声が存在する環境であっても、適切に音声を用いたデータ処理を実行することができる。
【００３６】
また、本実施例によれば、情報配信システムは、携帯電話１００同士でメールアドレス等を容易に交換することができる。特に、携帯電話１００の場合はマイク、スピーカー等のハードウェアを備えているため、新たなハードウェアを追加することなく、音声信号による情報配信を行うことができる。すなわち、本実施例の情報配信システムは、高価なハードウェアを実装したり、複雑な処理を実行したりすることなく、上述した情報配信を行うことができる。
【００３７】
また、本実施例によれば、情報配信システムは、音声信号を用いることにより、赤外線を用いる場合と比べ、携帯電話１００の位置によらずに所望のデータを配信することができる。
【００３８】
なお、本発明の適用は上述した実施例に限定されず、種々の変形が可能である。例えば、情報送信装置は、スピーカー等の音声を出力する機能（変換部１６０および出力部１７０）を有すればよく、携帯電話１００には限定されない。例えば、情報送信装置は、会議室、映画館等に設置されたスピーカー、カセットデッキ、ＰＣ（Personal Computer）、ＰＤＡ（Personal Digital Assistants）、テレビ、ラジオ、ゲーム装置等であってもよい。
【００３９】
また、情報受信装置は、マイク等の音声を入力する機能（入力部１１０および復調部１２０）を有すればよく、携帯電話１００には限定されない。例えば、情報受信装置は、カセットデッキ、ＰＣ、ＰＤＡ、ＩＣレコーダー等であってもよい。
【００４０】
また、上述した実施例では、情報受信装置は１台であったが、複数の情報受信装置が同時に音声信号を入力してもよい。これによれば、複数の情報受信装置が同時にデータを復調することができる。
【００４１】
また、認証用データは、２次元バーコードには限定されず、暗唱番号、パスワード等であってもよい。また、変換部１６０は、データを暗号化してから音声信号に変換してもよい。この場合、復調部１２０は、認証用データを復号化用の鍵として用いることにより、復調後の暗号化データを復号して元のデータを生成してもよい。
【００４２】
また、情報配信システムが配信するデータは、ユーザーデータ１５２には限定されず、例えば、会議等で用いられるデータ、参考資料へのＵＲＬ、広告宣伝用データ、商品の割引クーポン等であってもよい。
【００４３】
また、上述した実施例では、情報送信装置が一方的にデータを送信したが、情報受信装置がデータの送信要求を行い、情報送信装置が当該送信要求に応じてデータを送信してもよい。
【図面の簡単な説明】
【００４４】
【図１】本実施例における情報配信システムの全体図である。
【図２】本実施例における携帯電話の機能ブロック図である。
【図３】本実施例における送信側の携帯電話における処理手順を示すフローチャートである。
【図４】本実施例における受信側の携帯電話における処理手順を示すフローチャートである。
【符号の説明】
【００４５】
１００  携帯電話、１１０  入力部、１２０  復調部、１３０  認証用データ入力部、１４０  認証部、１５０  記憶部、１５２  ユーザーデータ、１６０  変換部、１７０  出力部
【図１】
2008148123.tif 000003
【図２】
2008148123.tif 000004
【図３】
2008148123.tif 000005
【図４】
2008148123.tif 000006